(57)【要約】  吸収性コアと組み合わせて使用するための不織機能性コアカバーであって、この機能性コアカバーは、リヨセル繊維を含む少なくとも第１の画分を含み、この繊維の大部分が同じ方向に配向されることを特徴とする。したがって、吸収性コアカバーは、吸収性物品の構成要素と考えられ得る。それにより、改善された吸上げ特性及び改善された湿潤一体性を有する機能性コアカバーが実現され、この利点によりＳＡＰとの混合物で使用されるフラッフの量を減らすことができる。吸収性コアに使用される材料の低減により、吸収性製品、例えば赤ちゃんのおむつの着用感が改善し、したがって赤ちゃんの動きを促進する。吸上げ特性により、液体がコアカバーの表面にわたってより良好に分配され、こうしてより多くの吸収性コアが排出された液体にさらされる。
2021501671.tif 000002
【特許請求の範囲】
【請求項１】
吸収性コアと組み合わせて使用するための不織機能性コアカバーであって、前記機能性コアカバーは、リヨセル繊維を含む少なくとも第１の画分を含み、前記機能性コアカバーを構成する繊維の大部分は同じ方向に配向され、前記機能性コアカバーの前記繊維は交絡を介して相互に結合していることを特徴とする、不織機能性コアカバー。
【請求項２】
前記機能性コアカバーが、ビスコースレーヨン繊維を含む第２の画分をさらに含む、請求項１に記載の不織機能性コアカバー。
【請求項３】
前記不織コアカバーが水流交絡プロセスで製造される、請求項１又は２のいずれかに記載の不織機能性コアカバー。
【請求項４】
前記機能性コアカバーの前記繊維の大部分が、前記機能性コアカバーの機械方向に配向され、前記機械方向が、前記機能性コアカバーの前駆体が水流交絡プロセスにおいて結合するための水流交絡セクションに流入する方向である、請求項１から３のいずれかに記載の不織機能性コアカバー。
【請求項５】
前記機能性コアカバーが、平坦であり、パターン化され、又は開口部を有する、請求項１から４のいずれかに記載の不織機能性コアカバー。
【請求項６】
前記機能性コアカバーが、ポリプロピレン繊維及び／又はポリエステル繊維を含む第３の画分をさらに含む、請求項１から５のいずれかに記載の不織機能性コアカバー。
【請求項７】
前記機能性コアカバーの坪量が、１５ｇｓｍ〜３０ｇｓｍである、請求項１から６のいずれかに記載の不織機能性コアカバー。
【請求項８】
前記繊維の密度が１ｄｔｅｘ〜３．３ｄｔｅｘである、請求項１から７のいずれかに記載の不織機能性コアカバー。
【請求項９】
前記繊維長が２０ｍｍ〜６０ｍｍ、又はより具体的には３５ｍｍ〜４５ｍｍである、請求項１から８のいずれかに記載の不織機能性コアカバー。
【請求項１０】
請求項１から９のいずれかに記載の機能性コアカバーを製造する方法であって、前記方法が、少なくとも
−リヨセル繊維の画分を選択する工程、
−前記選択された繊維の繊維ウェブを調製する工程、及び
−前記繊維ウェブを水流交絡セクションに移動させ、それによって前記繊維が不織布において相互に結合され、前記繊維の大部分は、同じ方向に配向されるようになる工程
を含むことを特徴とする、方法。
【請求項１１】
吸収性コアを含むおむつであって、前記吸収性コアが請求項１から９のいずれかに記載の機能性コアカバーによって覆われていることを特徴とする、おむつ。
【発明の詳細な説明】
【技術分野】
【０００１】
本発明は、吸収性製品における吸収性コアのためのコアカバーに関する。
【背景技術】
【０００２】
おむつのような吸収性製品は液体を保持する必要があり、そうするために、そのような吸収性製品のコアは通常、セルロースフラッフパルプ及び超吸収性ポリマー（ＳＡＰ）の混合物を含む。今日では、ＳＡＰの使用量を増やして重量を減らし、特に厚みを減らす。より多くのＳＡＰを使用することの１つの側面として、ゲルのブロッキングの可能性があり、それによりＳＡＰの一部が湿潤し、膨潤することで、より多くの液体が残りの（非飽和）ＳＡＰに到達するための経路をブロックし、それ故に、吸収性コアが膨潤の違いにより塊状の感触を与え得るので、この製品の効率及び快適性を低下させる。さらに、ＳＡＰは、排出された液体を吸収するために一定の時間を必要とするが、この時間は、おむつで使用された場合には与えられない場合がある。
【０００３】
通常、吸収性コアを含むそのような製品の製造は、パルプコアをエアレイドシートとして（又は他の形成方法によって）事前に調製すること、及びこのシートが吸収性製品、例えばおむつを構成する他の構成要素層とともに広げられることを含む。しかしながら、そのようなシートは硬く感じられる場合があり、製品が着用された場合に最適な動き及び快適性を提供しない。そのようなシートがあるとまた、ＳＡＰは、通常顆粒として提供されるので、添加できる方法も制限される。
【０００４】
別の方法は、吸収性製品に組み立てる前にＳＡＰ顆粒が混合されるルースフラッフを使用することを含む。しかし、このルースフラッフ及び／又はＳＡＰは制御及び収容される必要があり、このことがコア材料（ルースフラッフ及びＳＡＰの混合物）のコアカバー／ラップ又は「バッグ」の開発につながる。
【０００５】
通常、コアカバーは、軽量のスパンボンド／メルトブローン繊維又はティッシュで構成される。これらのどちらの場合でも、材料は８〜１０ｇｓｍ（グラム／平方メートル）から約２０ｇｓｍのオーダーの軽量（又は非常に軽量）であると考えられ得る。
【０００６】
スパンボンド／メルトブローンコアカバーには、軽量で比較的高い強度があり、吸収性製品に熱又は超音波溶接される可能性があるという利点を有する。このコアカバーは、それ自体は吸収性ではなく、したがって、吸収性の意味で受動的であると考えられ得るので、製品にさらなる機能を提供しない可能性がある。この受動性は、親水性又は疎水性の特性を調整して、コアカバーの目的である液体の吸収性コアへの浸透を可能にするために、特別な仕上げで対処される場合があり、又は対処されない場合もある。
【０００７】
ティッシュは、コアカバーを製造するための第２の選択肢であり、これも軽量であると考えられ、吸収性に関してより能動的であり得る。ただし、ティッシュは吸収性が高すぎると考えられ得る。さらに、軽量ティッシュは比較的弱いと考えられており、高速製造プロセス中に破断する／引き裂かれる可能性がある。さらに、ティッシュの湿潤一体性も同様に比較的弱いと考えられる。
【０００８】
最後に、非常に軽量で薄い材料は、最終製品、例えばおむつの保護又は緩衝効果が低くなり、それ故に乾燥ＳＡＰの顆粒が、表面で感じられ得るか、又はコアカバーに穴をあけることさえあり得る。
【発明の概要】
【０００９】
本発明の目的は、上記の問題のいくつかを解決することである。これは、吸収性コアと組み合わせて使用するための不織機能性コアカバーによって達成され、この機能性コアカバーは、リヨセル繊維を含む少なくとも第１の画分を含み、機能性コアカバーを構成する繊維の大部分が同じ方向に配向される。したがって、機能性コアカバーは、吸収性物品の構成要素と考えられ得る。さらに、同じ方向に配向されるべきであるのは全体として機能性コアカバーを構成する繊維の大部分であり、必ずしもリヨセル繊維のみではないため、他の画分が含まれ得ることに留意する。
【００１０】
不織製品とは、物理的に結合又は交絡されるテキスタイル繊維に基づくタイプの布地であると理解されるべきである。当業者は、複数の結合技術が存在するが、スパンレーシングとしても知られる水流交絡が、本発明において好ましい技術であることを理解すべきである。
【００１１】
コアカバーとは、コアを包む、封入する、覆う、又は他の方法でコアを収容するために使用される材料又は布地のタイプと理解されるべきである。好ましくは、コアは、セルロースフラッフ及び／又は超吸収性ポリマー（ＳＡＰ）などの吸収性材料を含む吸収性コアである。コアカバーは、その特性により機能性と考えられる。
【００１２】
大部分とは、繊維の少なくとも５０％が同じ方向に配向されることを理解すべきである。これはまた、布地の引張強度の観点から表現されてもよく、この場合、引張強度は、任意の他の方向、例えば繊維の大部分が配向される方向に垂直な方向と比較して、繊維の大部分が配向される方向で大きくなるはずである。
【００１３】
本件におけるリヨセルは、レーヨンのサブカテゴリとして理解されるべきである。より具体的には、リヨセルは人工のセルロース材料であり、これはヒドロキシル基の置換が行われず、化学中間体が形成されない有機溶液から沈殿したセルロースで構成される。この定義は、米国連邦取引委員会で使用されている定義を反映している。リヨセル繊維の製造プロセス中、セルロース分子の個々の鎖は、主に繊維の長手方向の延長と同じ方向に配向され、それにより、本発明の目的に有益な「ナノ配向」を繊維に与える。
【００１４】
それにより、改善された吸上げ特性及び改善された湿潤一体性を有する機能性コアカバーが実現される。そのような利点は、例えばおむつにおいて吸収性コアと組み合わせて使用される場合に特に関連性がある。しかし、当業者は、吸上げ特性が布地と接触する液体の分配を可能にするため、吸上げ特性が改善された布地に対する要望が複数の産業に存在することを理解する。さらに、液体の存在がこの布地の機能性を損なう可能性があることが知られているので、湿潤一体性は、この布地が湿潤したときはいつでも考慮する関連性がある。
【００１５】
この文書の残りの部分では、機能性コアカバーはおむつの吸収性コアに関連して説明されるが、当業者は、機能性コアカバーは、生理用ナプキン、吸収性包帯などを含む同様の最終製品で使用され得ることを認める。これらの製品に共通するのは、液体を吸収し、保持する能力である。
【００１６】
吸収性コアを、例えばおむつにおいて封入するために使用される場合、機能性コアカバーの利点は、ＳＡＰとの混合物で使用されるフラッフの量を減らすことを可能にし、吸上げ特性を改善することを含む。吸収性コアに使用される材料の削減により、吸収性製品、例えば赤ちゃんのおむつの着用感が改善し、したがって赤ちゃんの動きを促進する。さらに、フラッフの低減により、吸収性コアをより薄くすることが可能になり、したがって厚い吸収性コアは柔軟性が低いので、そのことが漏れのリスクを減少させる。
【００１７】
開示された材料の使用、不織製品の使用、及び繊維の配向により、改善された吸上げ特性が確実になる。吸上げは、ＤＩＮ  ５３９２４規格に従って測定され得る。吸上げ特性により、液体がコアカバーの表面にわたってより良好に分配され、こうしてより多くの吸収性コアが排出された液体にさらされる。強化された吸上げ特性は、大量の液体が局所的に排出される場合に特に関連性がある。そのような場合、ＳＡＰは吸収を開始してすべての液体を吸収するのにある程度の時間を必要とするため、従来技術から知られているコアカバーで覆われた吸収性コアは大量の液体を吸収するのが難しい。したがって、吸収されない液体は、漏れる又は液体が皮膚に接触しているために着用者に不快感を与えるリスクに容易にさらされる。さらに、先行技術から知られているコアカバーの吸上げ特性が弱いため、吸収性コアの一部のＳＡＰ及び／又はフラッフは、他の部分が飽和しているにもかかわらず、乾燥したままになり得る。本発明による機能性コアカバーの吸上げ特性のために、局所的に排出された液体は、放出（ｄｅｐｌｅｔｉｏｎ）点から離れてより容易に運び去られる。これにより、より多くのＳＡＰが液体を吸収することを確実にし、したがって過剰な液体が漏れ又は不快感を引き起こすリスクを軽減する。さらに、機能性コアカバーの特性により、液体の一部が吸収性コアに運ばれる前にコアカバーによって確実に吸収され、液体が排出された場合にＳＡＰにかかる瞬間的な「圧力」が取り除かれ、ＳＡＰが反応、つまり吸収を開始できる。
【００１８】
本発明による繊維の配向は、液体分配の方向が制御され得ることを確実にする。おむつ製品で使用される場合、機能性コアカバーは、人体の寸法のため、一般的に長方形に成形される。このような長方形に成形される場合、これは液体をさらに遠くに運ぶので、その長さに液体を分配させることが望ましい。この分配を制御するために、本発明による機能性コアカバーは、この機能性コアカバー内の繊維の配向が吸上げの方向を制御することを可能にするので、特に有利である。より具体的には、本発明による機能性コアカバーの繊維の大部分が同じ方向に配向している場合、吸上げは主にこの同じ方向にて生じる。液体は繊維表面に沿ってより容易に吸い上げられるため、これは真実であるが、同様に液体が繊維に吸収される場合、繊維を通して吸い上げられることもあり得る。繊維内の吸上げは、個々のセルロース鎖が、上記で簡単に説明したように、繊維の長さに整列又は「ナノ配向」され得るという事実によって強化される。このような内部吸上げは、固有の特性及び製造技術により、リヨセル繊維で特に生じる。逆に、繊維間をジャンプする場合、液体はより大きなエネルギー障壁を克服する必要があるため、繊維を横切って吸い上げられる傾向が制限される。これは、基本的な表面物理学及び表面張力とエネルギーとの理論に基づく。
【００１９】
「同じ方向」は、繊維が主に同じ方向に配向されるように理解されるべきであるが、当業者は、繊維の柔軟な性質のため、これが常に当てはまるわけではないことを認める。繊維の配向を特徴付ける方法として、業界の場合と同様に、布地の引張強度が考慮され得る。より具体的には、本発明による機能性コアカバーは、繊維の大部分が配向される方向において、横断方向、すなわちこの方向に垂直な方向よりも高い引張強度を有するはずである。大部分の繊維が配向する方向は、機械方向として知られ得る。
【００２０】
機能性コアカバーのさらなる利点は、従来技術よりも湿潤一体性が向上していることである。湿潤一体性とは、湿潤した場合の引裂及び／又は破断に対する耐性と理解されるべきである。吸収性コアと組み合わせて使用される場合、湿潤状態が存在し得る。したがって、湿潤一体性の向上は、湿潤した場合の引裂のリスクの減少を意味する。
【００２１】
開示されている機能性コアカバーのなおさらなる利点は、ポリプロピレン（ＰＰ）及びポリエステル（ＰＥＳ／ＰＥＴ）などのプラスチック系ポリマーの使用を回避することである。代わりに、リヨセルは製品の環境への影響を低減する木材パルプに基づく製品である。環境への影響を低減する手段は、今日のほとんどのおむつなどの１回限りの使用のみを目的とした製品に関して考慮するのに特に関連性がある。したがって、機能性コアカバーの大部分でＰＰ及び／又はＰＥＴの使用を回避することで、製品を、例えばＥＵ  Ｅｃｏｌａｂｅｌに適合させる。
【００２２】
一実施形態では、機能性コアカバーは、ビスコースレーヨン繊維を含む第２の画分を含み得る。
【００２３】
コアカバーは、テキスタイル繊維の複数の画分から構成されてもよい。そのような実施形態では、リヨセル繊維の第１の画分は、機能性コアカバーのパーセンテージＰを構成し得、ビスコースレーヨン繊維の第２の画分は、機能性コアカバーの対応するパーセンテージ（１００％−Ｐ）を構成し得る。さらなる実施形態では、リヨセルとビスコースレーヨンとの間の比に影響を与える又は与えずに、さらなる画分が添加されてよい。
【００２４】
本出願において、ビスコースレーヨンは、特定のビスコースプロセスを使用して製造されたレーヨンであるセルロースキサンタートの用語として理解されるべきである。このビスコースプロセスにおいて、木材パルプは二硫化炭素で処理され、それにより木材パルプ中のセルロースはセルロースキサンタートに変換される。したがって、ビスコースレーヨンの別名はキサンタートレーヨンである。このプロセスは、ビスコースレーヨンを製造するための標準的なプロセスと考えられ、したがって、ビスコースレーヨンを製造する他のプロセスが利用可能になった場合の本発明の目的に限定されない。当業者は、リヨセル及びビスコースレーヨンがレーヨンの２つのサブカテゴリであることに留意する。特定のケースでは、「ビスコース」は「レーヨン」の同義語と考えられるが、「ビスコース」という単語の本使用は、「ビスコースレーヨン」の代わりに簡単にするために使用される。
【００２５】
ビスコースを使用すると、吸上げ特性及び強度の特性に影響を与えることなく、機能性コアカバーの嵩高さ及び柔らかさを操作できる。ビスコースはまた、コストの最適化のために含まれる場合もある。好ましい実施形態では、機能性コアカバーは、約３０重量％のリヨセル繊維及び約７０重量％のビスコース繊維を含む。しかしながら、ビスコースの量は０重量％〜９５重量％まで変化し得るが、５０重量％〜８０重量％のビスコース繊維の量が好ましく、又はさらにより好ましくは６５重量％〜７５重量％の範囲である。ビスコースのさらにより好ましい範囲では、リヨセル繊維の対応する量は２５重量％〜３５重量％である。
【００２６】
一実施形態では、吸収性コアは、少なくとも超吸収性ポリマー（ＳＡＰ）を含み得る。
【００２７】
ＳＡＰは、それ自体の質量と比較して、大量又は非常に大量の液体を吸収及び保持する能力を特徴とし得る。ＳＡＰの吸収性は、自重の５０倍から自重の最大３００倍の間であり得る。しかしながら、吸収性は液体の組成に依存するため、それ自体の重量の５０倍未満の吸収性も本発明の範囲内であると予想される。
【００２８】
好ましいタイプのＳＡＰは、開始剤の存在下で水酸化ナトリウムとブレンドされたアクリル酸の重合から製造され、今日製造されている最も一般的なタイプのＳＡＰであるポリアクリル酸ナトリウム塩（ポリアクリル酸ナトリウム）を形成する。他のタイプのＳＡＰには、ポリアクリルアミドコポリマー、エチレン無水マレイン酸コポリマー、架橋カルボキシメチルセルロース、ポリビニルアルコールコポリマー、架橋ポリエチレンオキシド、及びポリアクリロニトリルのデンプングラフト化コポリマーが含まれる。
【００２９】
超吸収特性のため、皮膚との長時間の接触は、そのような接触が皮膚を乾燥させ得るため、避けるべきである。したがって、本発明の一態様は、最終製品での使用中のこのコアカバーの引裂又は破断のリスクが低減されるように十分に湿潤一体性を有するコアカバーを提供することである。
【００３０】
ＳＡＰは顆粒として提供されてもよく、それにより、ＳＡＰは大きな表面積を達成し、さらに吸収性コア全体に均一に分配することを可能にする。顆粒は、４ｍｍ未満、又は１ｍｍ未満のサイズを有し得る。
【００３１】
本発明による機能性コアカバーにおいて、提供される緩衝効果は、吸収性コアにおける顆粒の存在感を低減する。さらに、提供された強度（（湿潤）一体性）により、顆粒が機能性コアを貫通する又は引き裂くリスクが低減する。言い換えると、機能性コアカバーは、皮膚に接触した場合に皮膚の刺激を引き起こすＳＡＰ顆粒が吸収性コアから漏れるリスクを低減する。
【００３２】
一実施形態では、吸収性コアは、フラッフパルプをさらに含み得る。フラッフパルプは、長繊維針葉樹から製造された１つのタイプの化学パルプである。フラッフパルプはまた、セルロースフラッフパルプ又はセルロースフラッフと呼ばれることもある。吸水性及び嵩容積のため、フラッフパルプが使用される。フラッフパルプは、ＳＡＰと協働し、このようにして、このフラッフパルプは、即座に排出された液体を吸収し得、それにより、ＳＡＰに、次の工程で液体の吸収を開始する時間を与える。したがって、液体が吸収性コアに排出される場合にＳＡＰにかかる瞬間的な「圧力」を取り除くには、フラッフパルプが必要である。さらに、フラッフはＳＡＰのキャリアとして使用され、それによりＳＡＰが吸収性コアに均一に分配されることを確実にする。
【００３３】
本発明による機能性コアカバーで吸収性コアを覆う場合、コアカバーの吸収性及び吸上げ特性が液体の一部をフラッフパルプに到達する前に吸収し得るため、フラッフの量を低減し得る。次いで、この吸収された液体は、ＳＡＰの乾燥部分に向かって吸い上げられ／分配され得、それにより、多量の液体が排出される場合に特に関連性がある吸収性コアにおいてより多くのＳＡＰが利用されることを確実にする。これは、コアカバーが、液体を放出点から吸い上げて運び去るための手段、すなわち適切に選択された材料及び付随する繊維配向を提供しない従来技術に対抗する。したがって、従来技術では、吸収性コアの一部に乾燥したＳＡＰが生じる一方で、他の部分は完全に飽和しており、液体を分配できないため、漏れのリスクが高まる。
【００３４】
一実施形態では、不織コアカバーは、水流交絡プロセスで製造され得る。
【００３５】
水流交絡はまたスパンレーシングとしても知られる。水流交絡は、個々の繊維が高圧水ジェットを使用して交絡する製造技術である。水流交絡を使用して不織布を製造する場合、複数の非交絡の個々の繊維が、少なくとも１台のカーディング機を使用して繊維ウェブに配置され、その後、繊維ウェブを水流交絡セクションに移動させ、複数の高圧水ジェットが導入され、この水ジェットは、繊維ウェブを貫通し、交絡を引き起こし、それにより、テキスタイル繊維の（相互）物理的結合を引き起こす。それにより、テキスタイル繊維の交絡により不織布が作成される。繊維ウェブは、少なくとも１つのカーディング機を使用して形成され得るが、他の手段によっても形成され得る。
【００３６】
カーディング機と水流交絡セクションとの間の繊維ウェブの移動は、コンベヤベルトによって実行されてもよく、この移動の速度は、繊維の配向に部分的に影響を与える。言い換えれば、繊維ウェブは、カーディング機によってコンベヤベルト上に置かれ、その後、水流交絡セクションに輸送される。
【００３７】
好ましくはさらに、繊維ウェブを形成するカーディング機は、大部分の繊維を同じ方向に配置するように作用し、こうしてこのカーディング機、コンベヤベルトの動き、及び水流交絡セクションの両方が協働して大部分の繊維を本発明に従って同じ方向に配置するようになる。大部分の繊維を同じ方向に配向する原因となる第２の態様は、繊維密度、好ましい繊維長、及び繊維に対するカーディング機の作用の組合わせである。言い換えると、密度及び長さの開示された範囲は、大部分の繊維が配向されることを部分的に確実にするが、機械類、つまりカーディング機及び水流交絡セクションの設定にも依存する。
【００３８】
水流交絡は、水ジェットの使用によって設定された制限のために、比較的軽量の不織布に一般的に使用される。比較的軽い重量は１００ｇｓｍ（１平方メートルあたりのグラム数、ｇ／ｍ２）未満であり得る。繊維ウェブが水流交絡セクションに流入する方向は、機械方向として知られている。
【００３９】
それにより、本発明による機能性コアカバーで使用される大部分の繊維は、同じ方向に配向されるようになり、その吸上げ及び強度特性が強化される。さらに、水流交絡からのルックアンドフィールが実現される。さらに、水流交絡は、機能性コアカバーを含む布地を軽量にする可能性を提供する。
【００４０】
一実施形態では、機能性コアカバーの繊維の大部分は、機能性コアカバーの機械方向に配向されてもよく、機械方向は、機能性コアカバーの前駆体が水流交絡プロセスにおいて結合するための水流交絡セクションに流入する方向である。
【００４１】
前駆体は、前述のように繊維ウェブであり得る。水流交絡セクションに流入するとは、例えばコンベヤベルトは、繊維ウェブをこの水流交絡セクションに輸送／移動させることを意味する。水流交絡セクションは、機械類及びプロセスの一部として理解されるべきであり、繊維ウェブ内の繊維の実際の結合が行われる。繊維の配向は、繊維ウェブを敷設するカーディング機、コンベヤベルトの速度及び動き、並びに水流交絡セクションの両方によって制御され得る。機械類のこれらの設定に加えて、繊維の配向は、繊維の密度、繊維の長さ、及び組み立てられた場合の布地の重量に大きく依存する。
【００４２】
一実施形態では、機能性コアカバーは、平坦であってもよく、パターン化されてもよく、又は開口部を有していてもよい。
【００４３】
このような表面成形は、水流交絡プロセス又はその後のプロセス、例えばプレスを使用して導入されてもよい。成形は、他の点では平面／平坦な布地／コアカバーの輪郭と考えられ得る。パターン及び開口部などの成形は、吸上げ特性を操作し得、このようにして、本発明による機能性コアカバーの固有の吸上げ特性が強化され得る。しかしながら、開口部は、ＳＡＰ顆粒の最小サイズよりも小さいサイズであるべきであり、その結果、この顆粒は、機能性コアカバーによって覆われた吸収性コアから漏れない。
【００４４】
一実施形態では、機能性コアカバーは、ポリプロピレン繊維及び／又はポリエステル繊維を含む第３の画分をさらに含んでいてもよい。
【００４５】
ポリプロピレン（ＰＰ）繊維及び／又はポリエステル（ＰＥＳ）繊維は、コストを考慮すること、及びプラスチック系ポリマーが存在するためにコアカバーを音波結合する可能性を含む、複数の理由で含まれる場合がある。好ましいタイプのポリエステル（ＰＥＳ）は、ポリエチレンテレフタラート（ＰＥＴ）である。ＰＰ及び／又はＰＥＴは、第３の画分のブレンドとして、又は個別に第３及び第４の画分として含まれ得る。例えば、リヨセル及びビスコースの両方を使用する場合、第１と第２との画分の比は、ＰＰ及び／又はＰＥＴの第３及び／又は第４の画分を追加しても一定である場合と一定でない場合とがある。したがって、本発明による機能性コアカバーにＰＰ及び／又はＰＥＴを追加すると、コアカバー内のリヨセル及びビスコースの量に必然的に影響が及ぶが、リヨセルとビスコースとの間の相互比は影響を受けない場合がある。同様に、ＰＰ及び／又はＰＥＴの添加は、ビスコースのみの費用で追加してもよく、そのため、ＰＰ及び／又はＰＥＴの添加前であっても、リヨセルの重量又はパーセンテージによる量は同じである。例えば、３０％のリヨセル及び７０％のビスコースを含む繊維ウェブを、ある量のＰＰ及び／又はＰＥＴに添加され得るが、リヨセルのパーセンテージには影響を与えない。したがって、新しい組成物は、３０％リヨセル、５０％ビスコース、並びに２０％ＰＰ及び／又はＰＥＴである可能性がある。同じことがビスコースの量が一定に保たれる反対の場合にも当てはまる。
【００４６】
例えば、機能性コアカバーの最大５０％は、ＰＰ及び／又はＰＥＴを含み得る。
【００４７】
一実施形態では、機能性コアカバーの坪量は、１５ｇｓｍ〜３０ｇｓｍ、又はより具体的には１８ｇｓｍ〜２２ｇｓｍであり得る。
【００４８】
それにより、機能性コアカバーは、予見された使用において望ましい特性である軽量であると考えられ得る。さらに、重量は、水流交絡を使用して達成可能であり、それによって水流交絡不織布の感触が機能性コアカバーの感触に移される。
【００４９】
複数の理由から、本発明では軽量の布地を有することが望ましい。第一に、軽量であることは、製品の厚さの減少により、着用時の製品の快適性を向上させ、製品のコストをさらに削減する。第二に、より重い類似製品と比較すると、重量が軽いために必然的に材料の量が減少する。材料の量を減らすと、機能性コアカバーは、材料の量が多い場合に予想される吸収層ではなく、輸送／分配層として機能することができる。換言すれば、布地が重すぎると大量の液体が保持され、これは吸収性コアに運ばれる及び／又はその後の吸収のためにこの吸収性コアの表面にわたって分配される液体が少なくなることを意味し、後者は本発明の目的でもある。したがって、１５ｇｓｍ〜３０ｇｓｍ、又はより具体的には１８ｇｓｍ〜２２ｇｓｍ、又はさらにより具体的には２０ｇｓｍの坪量を有する軽量布地が、本発明による機能性コアカバーでの使用に望ましい。
【００５０】
一実施形態では、繊維の密度は、１ｄｔｅｘ〜３．３ｄｔｅｘであり得る。
【００５１】
それにより、繊維の低密度は、布地の軽量特性に追加される。さらに、繊維の密度が低いことにより、所望の強度、不透明度、柔らかさ、及び体積を有する布地を形成するために一定数の繊維が必要な場合に、布地の坪量を減らすことができる。密度とは、単位長さあたりの質量で表される番手を意味する。この場合、使用される単位はｄｔｅｘで、これは１０，０００ｍあたりのグラム数に相当する。本発明では、より細い（＜１ｄｔｅｘ）繊維又はより粗い（＞３．３ｄｔｅｘ）繊維の使用が予測される。
【００５２】
さらに、繊維は、様々な断面を含み得る。例えば、繊維の断面は、円形、平坦、三葉、多葉、三角形、中空、中実などであり得る。特定の断面の使用は、表面に沿った及び／又は繊維自体内の吸上げ特性を強化させるために特に関連性がある場合がある。例えば、中空繊維は、毛細管力のためにその内部で液体をより容易に吸い上げる可能性があり、三葉繊維などの大きな表面積を有する繊維は、その表面積のためにその外部表面上で液体をより容易に吸い上げ得る。
【００５３】
一実施形態では、繊維長は、２０ｍｍ〜６０ｍｍの間、又はより具体的には３５ｍｍ〜４５ｍｍであってよい。好ましい実施形態では、繊維長は約４０ｍｍである。
【００５４】
それにより、繊維は水流交絡に適しており、吸上げが最適化される長さである。吸上げが繊維の表面に沿って、又は繊維自体内で生じる場合、各中断は吸上げの減少をもたらすので、長い繊維を有することが望ましい。しかしながら、これは、水流交絡プロセスにおける結合特性及び／又は強度特性の劣る結果となるため、繊維が長すぎることはあり得ない。
【００５５】
本発明による機能性コアカバーを製造する方法は、少なくとも、リヨセル繊維の画分を選択し、この選択された繊維の繊維ウェブを調製し、この繊維ウェブを水流交絡セクションに移動させ、それによって繊維が不織布において相互に結合され、繊維の大部分は、繊維の選択された画分、繊維ウェブの調製、及び水流交絡セクションへの繊維ウェブの移動の結果として、同じ方向に配向されるようになる。
【００５６】
画分の選択は、以前に開示された範囲に従って、又はより具体的には以前に開示された好ましい実施形態に従って行われ得る。選択された繊維を水流交絡プロセスで結合する次の工程は、コンベヤベルト上の繊維ウェブに繊維を配置した後、この繊維ウェブに浸透する高圧水ジェットを導入し、水ジェットが交絡して繊維を本発明による不織布又はコアカバーに結合させる。カーディング機の使用及び／又は移動コンベヤベルト上での繊維の配置により、繊維は主に機械方向として知られる方向に配向され（つまり、繊維は同じ方向に配向される）、これはコンベヤベルトの移動方向である。逆に、機械方向に垂直な方向は、横断方向として知られる。機械方向（又は大部分の繊維が配向している方向）の布地の引張強度は、繊維間の摩擦力により、横断方向の布地の引張強度よりも高い。
【００５７】
吸収性コアを含むおむつであって、この吸収性コアが本発明による機能性コアカバーによって覆われていることを特徴とする。
【００５８】
おむつとは、人間が着用するように設計された吸収性物品と理解されるべきである。おむつは、例えば、まだトイレトレーニングを受けていない赤ちゃん、又は失禁に苦しんでいる人々が着用し得る。吸収性コアは、おむつのコア、すなわち、おむつの主な目的と考えられ得る実際の吸収を行うおむつの部分である。
【００５９】
それにより、おむつは、前述のように機能性コアカバーの吸上げ及び強度の利点から恩恵を受ける。
【００６０】
以下では、本発明に従って例示的な実施形態を説明する、
【図面の簡単な説明】
【００６１】
【図１】本発明による機能性コアカバーと組み合わせて使用されるのに適したおむつを示す。
【図２】本発明による機能性コアカバーにおける液体吸上げのプロセスを示す。
【図３】本発明による機能性コアカバーを製造するための可能な製造方法を示す。
【図４】従来技術及び本発明による機能性コアカバーにおける吸上げの概念を示している。
【発明を実施するための形態】
【００６２】
以下において、本発明は、本発明の範囲を限定するものとして考えられるべきではないその実施形態を通じて詳細に説明される。
【００６３】
図１は、本発明による機能性コアカバー１００と組み合わせて使用するのに適したおむつ１０を示す。この図は、例示のみを目的として含まれており、機能性コアカバー１００の特徴自体を明示的に開示していないことに留意すべきである。さらに、機能性コアカバー１００の使用はおむつのみに限定されないが、この機能性コアカバー１００は、他の製品、例えば衛生用タオル、包帯、又は拭き取り用品にも使用され得ることに留意すべきである。しかしながら、図示したおむつでは、機能性コアカバー１００の機械方向ＭＤは、おむつ１０の前側１１から裏側１２まで延びるように配向されることが好ましい。その結果、横断方向ＣＤは、第１の脚開口部１から第２の脚開口部２まで延びる。図示したおむつ１０では、おむつ１０が開いているので、脚開口部１、２は開いている、すなわち、裏側１２の耳部は前側１１に固定されていない。機械方向ＭＤ及び横断方向ＣＤは参照のために含まれているが、おむつ１００の他の部分が異なるタイプの布地を含み得るので、機能性コアカバー１００のみを参照する。線Ａ−Ｂは、図２に関連して説明した一連の側面図を示す。
【００６４】
機能性コアカバー１００は、排出された液体（図示せず）を吸収するのに適した吸収性コア（明示的に図示せず）を封入する。好ましくは、吸収性コアは、おむつ１０の底部１３に配置され、底部１３は、前側１１と裏側１２との間に延在する。好ましくは、吸収性コアは、おむつの形状並びに着用者の動き及び輪郭に適応し得るように、実質的に平坦で柔軟性である。機能性コアカバー１００は、緩衝層（図示せず）の下に配置されてもよい。本発明の特定の実施形態では、機能性コアカバー１００によって緩衝層を省略してもよく、これにより、おむつをより軽く、より柔軟にし得る。機能性コアカバー１００は、それ自体が緩衝層として機能し、したがって二重の機能を有し得る。
【００６５】
図２は、図１の線Ａ−Ｂに沿って取ったおむつの一連の側面図を示す。側面図の配向を示すために、Ａ及びＢへの参照が図２に含まれる。おむつを再度参照するにもかかわらず、当業者は、本発明が機能性コアカバー自体に関することに留意する。言い換えれば、当業者は、本発明による機能性コアカバーが他の吸収性製品、特にヘルスケア産業又は衛生で使用される製品で利用され得ることを認める。
【００６６】
一連の側面図は、液体吸収のプロセス、及び本発明による機能性コアカバーが吸収性コアの利用をどのように改善するかを示している。側面図は、緩衝層１４を含むおむつから取られているが、上述したように、機能性コアカバー自体が十分な緩衝性を提供し、それにより、さらなる層の必要性を取り除き得る。好ましくは、緩衝層１４は、着用者の皮膚３に隣接して配向される。機能性コアカバー１００は、吸収性コア１１０を覆う／封入するボックスとして示されている。吸収性コア１１０は、吸収性コア１１０がＳＡＰの顆粒を含む好ましい実施形態を強調するために複数のドット１１１を使用して示されている。吸収性コア１１０は、ＳＡＰのためのキャリアとして機能し、さらなる緩衝性及び吸収性を提供するためのセルロースフラッフパルプ（図示せず）をさらに含み得ることに留意すべきである。液滴２０は、機能性コアカバー１００と吸収性コア１１０との組合せによって液体がどのように吸い上げられて吸収されるかを示すために含まれている。バックシート１５は、おむつを環境４から保護する。
【００６７】
図２ａでは、液滴２０がおむつに排出される。吸収性コア１１０の原点Ｏに対して変位した位置Ｐは、おむつでの一般的な状況を示しており、液体は、人間の生理学によって前部又は後部のいずれかで排出される。したがって、これは、従来技術における障害を説明するのに役立つ。
【００６８】
図２ｂでは、液滴２０は、吸収性コア１１０によって部分的に吸収されている。これは、液滴２０の近くの拡大されたドット（飽和ＳＡＰ）１１２によって示されている。これは、従来技術の状況及び問題に似ており、吸収は、液体の排出（液滴２０）の近くで発生する一方で、吸収性コア１１０の大部分は乾燥したままである。本発明の態様は、この吸収性コア１１０、特にＳＡＰの潜在能力を最大限に利用するために、吸収性コア１１０の乾燥部分に向かって液体を吸い上げる手段を提供することである。
【００６９】
本発明によれば、図２ｂに示される状況は、単に予備的な吸収が行われる中間工程を表す。この中間工程の間、液体は吸収性コア１１０、特にＳＡＰによって部分的に吸収されるが、液体の残りの部分は機能性コアカバー１００によって吸収される。これにより、液体は、吸収性コア１１０をあふれさせるのではなく、あらゆる種類の媒体によって吸収され、すなわち吸収性コア１１０のＳＡＰが能動的になるまで、液体が吸収されないままである。同時に、機能性コアカバー１００によって吸収された液体は、放出点２１、すなわち液体が排出される局所領域から離れて吸い上げられる。吸上げ２２は、放出点２１から離れて反対方向を指す一組の矢印によって示されている。
【００７０】
図２ｃでは、機能性コアカバー１００によって吸い上げられた液体は、吸収性コア１１０のすべての部分に向かって吸い上げられている。これは、吸収性コア／ＳＡＰが飽和するまで液体を徐々に吸収する段階的なプロセスであることを当業者は理解する。飽和すると、液体は不飽和ＳＡＰに向かってさらに離れて吸い上げられる。さらに、当業者は、機能性コアカバー１００によって最初に吸収された液体が最終的に吸収性コア１１０によって吸収され、こうしてこの吸収性コア１１０が液体の大部分を保持するが、機能性コアカバー１００は中間吸収媒体として機能することを理解する。図２ｃに示すように、吸収性コア１１０は、この液滴が吸収性コア１１０の原点Ｏに対して変位した位置Ｐに配置されているにもかかわらず、液滴全体を吸収している。従来技術では、これは液体の一回の排出後の場合には当てはまらない。
【００７１】
図３は、本発明による機能性コアカバー１００を製造するプロセスを示している。図３ａはプロセスの側面図を示すが、図３ｂは図３ａに示される実施形態の上面図を示す。
【００７２】
少なくとも１つのカーディング機５０は、選択された繊維、すなわち少なくともリヨセル繊維Ｌを含む画分を備える。カーディング機５０は、本発明による繊維を含む繊維ウェブ５１をコンベヤベルト５２上に置き、このコンベヤベルト５２は繊維ウェブ５１を水流交絡セクション５３に移動させる。コンベヤベルト５２の方向は、矢印５９によって示されている。水流交絡セクション５３は、複数の水ジェット５４を繊維ウェブ５１に適用し、それにより、この繊維ウェブ５１内の繊維が結合／交絡する。プロセスの最終製品は、水流交絡を使用して結合される、本発明による不織機能性コアカバー１００である。
【００７３】
本発明による機能性コアカバーを製造する上記で開示されたプロセスは、本発明の範囲を限定するものではないことが理解されるべきである。
【００７４】
上記で記載のプロセスに従って機能性コアカバー１００を製造する場合、繊維の大部分は、主に機械方向ＭＤ、すなわち、繊維ウェブ５１を水流交絡セクション５３に運ぶコンベヤベルト５２の配向と同一の方向及び繊維ウェブが水流交絡セクション５３に流入する方向に配向される。機能性コアカバー１００におけるこの結果として生じる繊維の配向は、上述のように、おむつにおけるこの機能性コアカバー１００の実装において利用され得る。より正確には、機能性コアカバー１００が、機械方向ＭＤがおむつの前側から裏側に延びる方向に平行であるように、おむつに配向される場合、液体が繊維間よりも容易に繊維の長さに沿って吸い上げられるため、吸上げが強化される。繊維密度及び長さの組合せにより、大部分の繊維が同じ方向に配向するようになることをさらに確実にし得る。機械方向ＭＤに垂直である対応する横断方向ＣＤは、参考のために含まれている。
【００７５】
図４は、本発明による機能性コアカバー１００（図４ｂ）の吸上げと比較した従来技術のコアカバー９０（図４ａ）の吸上げの概念を上面図から示している。機械方向ＭＤ及び横断方向ＣＤは参照用に含まれている。長方形は、従来技術のコアカバー９０及び機能性コアカバー１００の一般的な形状を示し、吸収性製品、例えばおむつに使用される場合、その形状は体の広い被覆を確実にする。液体放出２００は、その中心が長方形の中心から変位しているように示されているので、強化された吸上げ特性の必要性が強調されている。従来技術９０（図４ａ）では、液体放出は同心円２１０を形成することがわかり、円の半径の増加は、液体が時間内にどのように分配されるかを示す。しばらくすると、液体の一部が長方形（コアカバー）のエッジ９１に到達し、漏れの状況を示す。しかしながら、液体のこの部分がエッジ９１に到達すると、長方形の大部分（すなわち、コアカバー）は乾燥したままである、特に図４ａの図の下半分。一方、本発明による機能性コアカバー１００（図４ｂ）では、吸上げ特性により、液体が機械方向ＭＤ、すなわち繊維が機能性コアカバー１００に配向される方向に吸い上げる傾向を確実にする。これは、同心の楕円２２０によって示されている。これにより、漏れのリスクが低減すると同時に、液体が放出点からさらに離れて分配されることを確実にする。さらに離れて分配される場合、より多くのＳＡＰが液体を吸収し得、すなわち機能性コアカバー１００は、機能性コアカバーによって封入された／覆われた吸収性コア（図示せず）に存在するＳＡＰを、従来技術から知られているよりも多く利用する方法を提供する。
【００７６】
図４ｃは、本発明による機能性コアカバー１００の一部の拡大Ｚを示している。拡大Ｚには、機能性コアカバー１００を構成する繊維１０１の一部が示されている。繊維１０１の配向が特に示されており、柔軟性である、すなわち、図では曲がっているが、繊維の主な配向は、大部分の繊維と同一である。この共通の配向は、好ましくは、布地の機械方向ＭＤと整列しているが、一般に、任意の方向であってもよく、したがって、例えば製造技術から独立していてもよい。配向は、布地の引張強度に関して表されてもよく、この引張強度は、横断方向ＣＤ（大部分の繊維が配向する方向に対して垂直方向）よりも機械方向ＭＤ（又は繊維の大部分が配向される任意の方向）でより大きい。
【符号の説明】
【００７７】
参照番号
Ａ  カットＡ−Ｂの点Ａ
Ｂ  カットＡ−Ｂの点Ｂ
ＣＤ  横断方向
Ｌ  リヨセル繊維
ＭＤ  機械方向
Ｏ  原点
Ｐ  変位した位置
Ｚ  拡大
１  第１の脚開口部
２  第２の脚開口部
３  皮膚
４  環境
１０  おむつ
１１  前側
１２  裏側
１３  底部
１４  緩衝層
１５  バックシート
２０  液滴
２１  放出点
２２  吸上げ方向
５０  カード
５１  繊維ウェブ
５２  コンベヤベルト
５３  水流交絡セクション
５４  水ジェット
５９  コンベヤベルト５２の移動方向
９０  従来技術のコアカバー
９１  従来技術のコアカバー９０のエッジ
１００  機能性コアカバー
１０１  機能性コアカバー１００の繊維
１１０  吸収性コア
１１１  超吸収性ポリマー（ＳＡＰ）
１１２  飽和ＳＡＰ
２００  液体放出
２１０  同心円
２２０  同心楕円
【図１】
2021501671.tif 000003
【図２ａ】
2021501671.tif 000004
【図２ｂ】
2021501671.tif 000005
【図２ｃ】
2021501671.tif 000006
【図３ａ】
2021501671.tif 000007
【図３ｂ】
2021501671.tif 000008
【図４ａ−４ｃ】
2021501671.tif 000009
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
吸収性コアを封入する不織機能性コアカバーを含む吸収性物品であって、前記機能性コアカバーは、リヨセル繊維を含む少なくとも第１の画分を含み、前記機能性コアカバーを構成する繊維の大部分は同じ方向に配向され、前記機能性コアカバーの前記繊維は交絡を介して相互に結合していることを特徴とする、吸収性物品。
【請求項２】
前記機能性コアカバーが、ビスコースレーヨン繊維を含む第２の画分をさらに含む、請求項１に記載の吸収性物品。
【請求項３】
前記不織コアカバーが水流交絡プロセスで製造される、請求項１又は２のいずれかに記載の吸収性物品。
【請求項４】
前記機能性コアカバーの前記繊維の大部分が、前記機能性コアカバーの機械方向に配向され、前記機械方向が、前記機能性コアカバーの前駆体が水流交絡プロセスにおいて結合するための水流交絡セクションに流入する方向である、請求項１から３のいずれかに記載の吸収性物品。
【請求項５】
前記機能性コアカバーが、平坦であり、パターン化され、又は開口部を有する、請求項１から４のいずれかに記載の吸収性物品。
【請求項６】
前記機能性コアカバーが、ポリプロピレン繊維及び／又はポリエステル繊維を含む第３の画分をさらに含む、請求項１から５のいずれかに記載の吸収性物品。
【請求項７】
前記機能性コアカバーの坪量が、１５ｇｓｍ〜３０ｇｓｍである、請求項１から６のいずれかに記載の吸収性物品。
【請求項８】
前記不織機能性コアカバーの前記繊維の密度が１ｄｔｅｘ〜３．３ｄｔｅｘである、請求項１から７のいずれかに記載の吸収性物品。
【請求項９】
前記不織機能性コアカバーの前記繊維長が２０ｍｍ〜６０ｍｍ、又はより具体的には３５ｍｍ〜４５ｍｍである、請求項１から８のいずれかに記載の吸収性物品。
【請求項１０】
請求項１から９のいずれかに記載の吸収性物品を製造する方法であって、前記方法が、少なくとも
−機能性コアカバーを、
−リヨセル繊維の画分を選択すること、
−前記選択された繊維の繊維ウェブを調製すること、及び
−前記繊維ウェブを水流交絡セクションに移動させ、それによって前記繊維が不織布において相互に結合され、前記繊維の大部分は、同じ方向に配向されるようになること
によって製造する工程、並びに
−吸収性コアを前記機能性コアカバーで封入する工程
を含むことを特徴とする、方法。
【請求項１１】
前記吸収性物品が、機能性コアカバーによって覆われた吸収性コアを封入するおむつである、請求項１から９のいずれかに記載の吸収性物品。
【国際調査報告】
2021501671.tif 000010
2021501671.tif 000011
2021501671.tif 000012
2021501671.tif 000013